(57)【特許請求の範囲】
【請求項１】
像担持体の周面を帯電させる帯電体に、異なる複数の電圧を印加する電圧印加部と、
前記電圧印加部による前記複数の電圧の印加時における帯電電流を検知する帯電電流検知部と、
前記異なる複数の電圧の印加時に前記帯電電流検知部によって検知される帯電電流が示すＩ−Ｖ特性に基づき、前記像担持体の周面に設けられた膜厚を検出する膜厚検出部と、
前記帯電体及び前記像担持体の周囲温度又は周囲湿度の少なくとも一方からなる周囲環境値を検出する周囲環境値検出部と、
前記膜厚検出部によって検出された膜厚を、前記周囲環境値検出部によって検出された周囲環境値に応じて定められた補正値を用いて補正する膜厚補正部と、
前記膜厚補正部によって補正された膜厚に対応する帯電電圧を決定する決定部と、
前記決定部により決定された電圧を画像形成時における帯電電圧として、前記電圧印加部により前記帯電体に対して印加させる電圧印加制御を行う印加バイアス制御部とを備え、
前記決定部は、前記膜厚補正部によって補正された膜厚に対応する帯電電流を更に決定し、
前記印加バイアス制御部は、更に画像形成時に、前記帯電電流検知部により検知される電流が、前記決定部により決定された帯電電流となるように、帯電電圧を可変させて、前記電圧印加部により前記帯電体に対して印加させる電圧印加制御を行い、
更に、前記決定部によって決定された帯電電流を、前記周囲環境値検出部によって検出された周囲環境値に応じて定められた電流補正値を用いて補正する電流補正部を備え、
前記周囲環境値検出部は、前記膜厚補正によって前記像担持体の膜厚を補正した後、画像形成時に、再度前記周囲環境値を取得し、前記電流補正部を用いて前記帯電電流を補正し、
前記印加バイアス制御部は、前記帯電電流検知部により検知される電流を、前記電流補正部による前記補正後の帯電電流とするために前記帯電電圧を可変させる制御を、前記電圧印加制御として行う画像形成装置。
【請求項２】
前記電流補正部は、前記決定部によって決定された帯電電流の値に対して、前記周囲環境値検出部によって検出された周囲環境値に応じて定められた電流補正値を加算することにより、当該決定された帯電電流の値を補正する請求項１に記載の画像形成装置。
【請求項３】
前記電圧印加部は、前記異なる複数の電圧として各膜厚について定められた値の中から、前回補正された膜厚に対応する各電圧を用いて、前記帯電体に対する前記異なる複数の電圧の印加を行う請求項１または請求項２に記載の画像形成装置。
【請求項４】
像担持体の周面を帯電させる帯電体に、異なる複数の電圧を印加する電圧印加ステップと、
前記複数の電圧の印加時における帯電電流を検知する電流検知ステップと、
前記異なる複数の電圧の印加時に検知される帯電電流が示すＩ−Ｖ特性に基づき、前記像担持体の周面に設けられた膜厚を検出する膜厚検出ステップと、
前記帯電体及び前記像担持体の周囲温度又は周囲湿度の少なくとも一方からなる周囲環境値を検出する周囲環境値検出ステップと、
前記検出された膜厚を、前記検出された周囲環境値に応じて定められた補正値を用いて補正する膜厚補正ステップと、
前記補正された膜厚に対応する帯電電流を決定する決定ステップと、
画像形成時に、前記周囲環境値検出ステップを再度実行し、前記周囲環境値検出ステップに基づいて前記決定ステップで決定された前記帯電電流を補正する帯電電流補正ステップと、
前記帯電電流補正ステップで補正された帯電電流を目標値として、電圧印加部により前記帯電体に対して帯電電圧を印加させる印加バイアス制御ステップと、を有する帯電電圧制御方法。
【発明の詳細な説明】
【技術分野】
【０００１】
本発明は、画像形成装置及び帯電電圧制御方法に関し、特に、像担持体周面に設けられた膜厚の変化に応じて帯電電圧の印加を制御する技術に関する。
【背景技術】
【０００２】
プリンターや複合機等の画像形成装置においては、感光体ドラム等の像担持体の周面に形成された表面層に帯電及び露光を行って静電潜像を形成し、現像装置によってトナーを供給して生成したトナー画像を、転写部が記録紙に転写させることで記録紙への画像形成が行われる。ＯＰＣ（有機光導伝体）からなる表面層を有する感光体ドラムを帯電ローラーにより帯電する機構においては、この画像形成の繰り返しにより、感光体ドラム表面の感光層である膜が削れていく。この膜の厚みが薄くなると、帯電ローラーに帯電電圧を印加したときに流れる電流が変化するため、同一の帯電電圧を印加しても感光体ドラムの表面電位が変化してしまい、目標の表面電位が得られない。そこで、画像形成装置の駆動時間から感光体ドラムの膜の削れ量を予測し、駆動時間に応じて帯電電圧を変化させる帯電電圧制御が知られている。しかし、この技術は、実際の膜厚を検知して帯電電圧を決定しているわけではなく、予測した膜の削れ量が実際とは異なるおそれがあるため、このように決定した帯電電圧を印加しても、目標の表面電位が得られない場合がある。
【０００３】
このため、下記特許文献１に示すように、帯電電圧と、検知した帯電電流の関係の傾きから感光体の膜厚を推定する技術が提案されている。また、下記特許文献２には、パッシェンの法則の式から帯電部材の抵抗値と、感光層の膜厚を算出推定し、推定した膜厚に応じて帯電印加電圧を決定する技術が提案されている。
【先行技術文献】
【特許文献】
【０００４】
【特許文献１】特許第３０６４６４３号公報
【特許文献２】特開平９−１８５２２０号公報
【発明の概要】
【発明が解決しようとする課題】
【０００５】
しかしながら、上記特許文献１に示される技術では、感光体ドラムの膜厚に対応させた帯電電圧を決定していない。また、周囲環境が変化した場合には、上記推定した膜厚が実際の膜厚から外れるおそれがある。一方、特許文献２に示される技術では、推定した感光層の膜厚に対応させて帯電電圧を決定しているが、上記のように、この膜厚はパッシェンの法則の式から算出した推定のものであり、周囲環境の影響が考慮されていないため、周囲環境が変化すると、上記帯電電圧の印加により得られる表面電位が、目標の表面電位からずれるおそれがある。
【０００６】
本発明は、上記の問題を解決するためになされたもので、周囲環境変化及び膜厚の経年変化に拘わらず、感光体ドラム等の像担持体の膜厚に応じた適切な帯電電圧を用いて、帯電電圧の印加制御を行うことを目的とする。
【課題を解決するための手段】
【０００７】
本発明の一局面に係る画像形成装置は、像担持体の周面を帯電させる帯電体に、異なる複数の電圧を印加する電圧印加部と、
前記電圧印加部による前記複数の電圧の印加時における帯電電流を検知する帯電電流検知部と、
前記異なる複数の電圧の印加時に前記帯電電流検知部によって検知される帯電電流が示すＩ−Ｖ特性に基づき、前記像担持体の周面に設けられた膜厚を検出する膜厚検出部と、
前記帯電体及び前記像担持体の周囲温度又は周囲湿度の少なくとも一方からなる周囲環境値を検出する周囲環境値検出部と、
前記膜厚検出部によって検出された膜厚を、前記周囲環境値検出部によって検出された周囲環境値に応じて定められた補正値を用いて補正する膜厚補正部と、
前記膜厚補正部によって補正された膜厚に対応する帯電電圧を決定する決定部と、
前記決定部により決定された電圧を画像形成時における帯電電圧として、前記電圧印加部により前記帯電体に対して印加させる電圧印加制御を行う印加バイアス制御部とを備え、
前記決定部は、前記膜厚補正部によって補正された膜厚に対応する帯電電流を更に決定し、
前記印加バイアス制御部は、更に画像形成時に、前記帯電電流検知部により検知される電流が、前記決定部により決定された帯電電流となるように、帯電電圧を可変させて、前記電圧印加部により前記帯電体に対して印加させる電圧印加制御を行い、
更に、前記決定部によって決定された帯電電流を、前記周囲環境値検出部によって検出された周囲環境値に応じて定められた電流補正値を用いて補正する電流補正部を備え、
前記周囲環境値検出部は、前記膜厚補正によって前記像担持体の膜厚を補正した後、画像形成時に、再度前記周囲環境値を取得し、前記電流補正部を用いて前記帯電電流を補正し、
前記印加バイアス制御部は、前記帯電電流検知部により検知される電流を、前記電流補正部による前記補正後の帯電電流とするために前記帯電電圧を可変させる制御を、前記電圧印加制御として行うものである。
【０００８】
また、本発明の他の一局面に係る帯電電圧制御方法は、像担持体の周面を帯電させる帯電体に、異なる複数の電圧を印加する電圧印加ステップと、
前記複数の電圧の印加時における帯電電流を検知する電流検知ステップと、
前記異なる複数の電圧の印加時に検知される帯電電流が示すＩ−Ｖ特性に基づき、前記像担持体の周面に設けられた膜厚を検出する膜厚検出ステップと、
前記帯電体及び前記像担持体の周囲温度又は周囲湿度の少なくとも一方からなる周囲環境値を検出する周囲環境値検出ステップと、
前記検出された膜厚を、前記検出された周囲環境値に応じて定められた補正値を用いて補正する膜厚補正ステップと、
前記補正された膜厚に対応する帯電電流を決定する決定ステップと、
画像形成時に、前記周囲環境値検出ステップを再度実行し、前記周囲環境値検出ステップに基づいて前記決定ステップで決定された前記帯電電流を補正する帯電電流補正ステップと、
前記帯電電流補正ステップで補正された帯電電流を目標値として、電圧印加部により前記帯電体に対して帯電電圧を印加させる印加バイアス制御ステップと、を有するものである。
【発明の効果】
【０００９】
本発明によれば、Ｉ−Ｖ特性に基づいて像担持体の膜厚を検出し、当該検出した膜厚を周囲環境に応じて補正した上で、この補正後の膜厚に応じた帯電電圧を用いて帯電電圧の印加制御を行うため、周囲環境が変化した場合であっても、経年変化する像担持体の膜厚に応じて適切な帯電電圧を帯電体に印加することが可能になる。このため、周囲環境変化及び膜厚の経年変化に拘わらず、像担持体の表面電位を目標値に保つ帯電電圧の印加制御を実現することができる。
【図面の簡単な説明】
【００１０】
【図１】本発明の第１実施形態に係る画像形成装置の構造を示す正面断面図である。
【図２】画像形成部の構成を示す正面断面図である。
【図３】第１実施形態に係る画像形成装置の主要内部構成を概略的に示す機能ブロック図である。
【図４】感光体ドラム表面の感光層の膜厚毎のＩ−Ｖ特性をグラフにより示す図である。
【図５】帯電電流及び帯電電圧についてＩ−Ｖ特性の環境依存性を示す図である。
【図６】膜厚補正部が膜厚の補正に用いる各補正値を温度及び湿度別に示す図である。
【図７】本発明の第１実施形態に係る画像形成装置による帯電電圧印加制御を示すフローチャートである。
【図８】本発明の第２実施形態に係る画像形成装置の主要内部構成を概略的に示す機能ブロック図である。
【図９】決定部により決定された帯電電流の補正に用いる各帯電電流補正値を温度及び湿度別に示す図である。
【図１０】本発明の第２実施形態に係る画像形成装置による帯電電圧印加制御を示すフローチャートである。
【発明を実施するための形態】
【００１１】
以下、本発明の第１実施形態に係る画像形成装置及び帯電電圧制御方法について図面を参照して説明する。図１は、本発明の第１実施形態に係る画像形成装置の構造を示す正面断面図である。
【００１２】
本発明の第１実施形態に係る画像形成装置１は、画像形成部２と、用紙搬送機構３と、給紙部４と、定着部５と、排出トレイ６とを備えている。本実施形態では、画像形成装置１がプリンターである場合を例にして説明する。
【００１３】
画像形成装置１が画像形成動作を行う場合は、ネットワーク接続されたコンピューターから受信した画像データ、又は内蔵ＨＤＤに記憶されている画像データ等に基づいて、画像形成部２が、用紙搬送機構３により給紙部４から搬送路３１を搬送されてきた記録媒体としての記録紙Ｐにトナー画像を形成する。この後、定着部５が、記録紙Ｐ上のトナー画像を熱圧着により記録紙Ｐに定着させる。定着処理の完了した画像形成済みの記録紙Ｐは排出トレイ６に排出される。
【００１４】
画像形成部２は、感光体ドラム（像担持体）２１と、帯電装置２２と、露光装置２３と、現像装置２４と、転写ローラー２５と、トナー除去装置２７と、を備えている。各構成の詳細な説明は後述する。
【００１５】
用紙搬送機構３は、搬送路３１と、搬送ローラー３２と、レジストローラー３３と、を備えている。
【００１６】
搬送路３１は、給紙部４から、画像形成部２及び定着部５を経て、排出トレイ６まで記録紙Ｐが搬送させる搬送路である。搬送路３１の各所には、搬送ローラー３２が設けられており、当該搬送ローラー３２の回転により、記録紙Ｐが搬送路３１内において、給紙部４から、画像形成部２、定着部５、排出トレイ６へ搬送される。
【００１７】
レジストローラー３３は、搬送路３１における画像形成部２の記録紙Ｐの搬送方向上流側に設けられ、搬送路３１において搬送される記録紙Ｐを、感光体ドラム２１と転写ローラー２５とが対向する位置（すなわち、画像形成部２によるトナー画像の転写位置）に搬送するタイミングを調整する。
【００１８】
レジストセンサー７５は、搬送路３１においてレジストローラー３３よりも記録紙Ｐの搬送方向上流側に設けられている。後述する制御部１００（図３参照）は、レジストセンサー７５により記録紙Ｐの先端部の到達が検出されたタイミングを用いて、当該タイミングから予め定められた一定時間経過後に、画像形成部２によるトナー画像の転写位置に記録紙Ｐが搬送されるようにレジストローラー３３を駆動して、記録紙Ｐが画像形成部２の転写位置に到着するタイミングを調整する。
【００１９】
定着部５は、画像形成部２による記録紙Ｐへのトナー画像転写位置よりも記録紙Ｐの搬送方向の下流側に配置されており、画像形成部２を通過した記録紙Ｐに転写されたトナー画像を熱ローラー５１及び圧ローラー５２により熱圧着して記録紙Ｐに定着させる。
【００２０】
次に、画像形成部２の各構成について説明する。図２は、画像形成部２の構成を示す正面断面図である。図１及び図２を用いて説明する。
【００２１】
感光体ドラム２１は、その表面に感光層が設けられ、静電潜像及びこの静電潜像に沿ったトナー像を形成する。本実施形態では、例として、ＯＰＣ（有機光導伝体）からなる感光層である場合を説明する。
【００２２】
帯電装置２２は、感光体ドラム２１の表面に対向する位置に設けられている。帯電装置２２は、図２に示す矢印の方向へ回転する感光体ドラム２１の周面を予め定められた帯電能力で一様に帯電させる。帯電装置２２の上記予め定められた帯電能力は、例えば、感光体ドラム２１の表面を所定電位とする能力に設定されている。帯電装置２２は、感光体ドラム２１の回転軸方向と同一方向の回転軸を有する帯電ローラー（特許請求の範囲における帯電体の一例）２２２を備えている。当該帯電ローラー２２２には、帯電電圧印加部（電源装置）２２３により、トナーの正規帯電極性（本実施の形態ではプラス極性）と同極性の帯電電圧が印加される。帯電ローラー２２２に印加される帯電電圧は、後述する印加バイアス制御部１０１（図３参照）により制御される。帯電ローラー２２２が感光体ドラム２１表面に接触することにより、感光体ドラム２１表面が帯電される。また、帯電装置２２は、帯電電圧印加部２２３による帯電電圧の印加時に帯電装置２２に流れる帯電電流を検知する帯電電流検知部２２５を備えている。
【００２３】
露光装置２３は、感光体ドラム２１の表面に対向する位置であって、感光体ドラム２１周面の上記回転方向において帯電装置２２よりも下流側に設けられている。露光装置２３は、画像形成装置１にネットワーク接続されたコンピューターから受信した画像データ、又は内蔵ＨＤＤに記憶されている画像データ等に対応したレーザー光を、図２に矢印で示すように、帯電後の感光体ドラム２１の周面に照射し、感光体ドラム２１の周面に、当該画像データに対応する静電潜像を形成する。露光装置２３は、レーザー露光部であり、レーザービームを出力するレーザー光源と、当該レーザービームを感光体ドラム２１表面に向けて反射させるポリゴンミラーと、ポリゴンミラーによって反射されたレーザー光を感光体ドラム２１に導くためのレンズやミラー等の光学部品を備えている。なお、露光装置２３は、ＬＥＤ（Light Emitting Diode）により感光体ドラム２１表面を照射する方式のもの等、他の方式からなるものであってもよい。
【００２４】
現像装置２４は、感光体ドラム２１表面に露光装置２３によって形成された静電潜像にトナーを供給する。現像装置２４は、感光体ドラム２１の回転軸方向と同一方向の回転軸を有する現像ローラー２４１を、感光体ドラム２１に対向する位置に備え、当該現像ローラー２４１により感光体ドラム２１表面に現像装置２４内に貯留されているトナーを供給する。そして、現像装置２４は、感光体ドラム２１の表面上の露光装置２３によって露光された部分に静電潜像にトナーを付着させ、静電潜像に応じたトナー画像を形成する。現像装置２４に対しては、不図示のトナーコンテナーからトナーが供給される。
【００２５】
転写ローラー（転写部）２５は、感光体ドラム２１の回転軸方向と同一方向の回転軸を有し、感光体ドラム２１に対向する位置であって、感光体ドラム２１の回転方向において現像装置２４よりも下流側に設けられている。転写ローラー２５は、感光体ドラム２１表面に対して押圧された状態で設けられている。転写ローラー２５には、転写バイアス印加部（電源装置）２５２により、転写バイアスが印加される。転写ローラー２５に印加される転写バイアスは、後述する印加バイアス制御部１０１により制御される。画像形成時において、トナーの正規帯電極性とは異なる極性の転写バイアスが転写ローラー２５に印加され、転写ローラー２５は、感光体ドラム２１の表面に形成されたトナー画像を、感光体ドラム２１及び当該転写ローラー２５のニップ部Ｎに搬送されてくる記録紙Ｐに転写させる。
【００２６】
感光体ドラム２１の回転方向において転写ローラー２５よりも下流側には、トナー除去装置２７が配置されている。トナー除去装置２７は、感光体ドラム２１の表面に残留するトナーを除去する。
【００２７】
次に、第１実施形態に係る画像形成装置１の内部構成を説明する。図３は第１実施形態に係る画像形成装置１の主要内部構成を概略的に示す機能ブロック図である。
【００２８】
画像メモリー７１は、画像形成部２による画像形成の対象となる画像データを一時的に保存する領域である。
【００２９】
ＨＤＤ（ハードディスクドライブ）７２は、画像形成装置１にネットワーク接続されたコンピューターから受信した画像データ等を記憶する大容量の記憶装置である。
【００３０】
また、温度センサー７７は、サーミスター等を備え、帯電装置２２及び感光体ドラム２１の周囲温度を周囲環境値として検出する。温度センサー７７は、検出した温度を、後述する膜厚補正部１０４（第２実施形態では、膜厚補正部１０４又は電流補正部１０６）に出力する。
【００３１】
また、湿度センサー７８は、帯電装置２２及び感光体ドラム２１の周囲湿度を周囲環境値として検出する。湿度センサー７８は、検出した湿度を、後述する膜厚補正部１０４（第２実施形態では、膜厚補正部１０４又は電流補正部１０６）に出力する。
【００３２】
温度センサー７７及び湿度センサー７８は、特許請求の範囲における周囲環境値検出部の一例である。なお、温度センサー７７及び湿度センサー７８は、少なくともいずれか一方が備えられ、膜厚補正部１０４は、当該出力されてきた値を用いて後述する膜厚補正を行うものであればよい。本実施形態では、画像形成装置１は、温度センサー７７及び湿度センサー７８の両方を備え、膜厚補正部１０４は、これら両方から出力されてきた温度及び湿度の各値を用いて後述する膜厚補正を行う例を説明する。
【００３３】
画像形成装置１は、制御ユニット１０を備える。制御ユニット１０は、ＣＰＵ(Central Processing Unit)、ＲＡＭ、ＲＯＭ及び専用のハードウェア回路等から構成される。制御ユニット１０は、制御部１００、印加バイアス制御部１０１、膜厚検出部１０２、膜厚補正部１０４、及び決定部１０５を備える。特に、制御ユニット１０は、上記のＲＯＭ又はＨＤＤ７２に記憶されたプログラムが上記のＣＰＵに実行されることにより、印加バイアス制御部１０１、膜厚検出部１０２、膜厚補正部１０４、及び決定部１０５として機能する。
【００３４】
制御部１００は、画像形成装置１の全体的な動作制御を司る。制御部１００は、画像形成部２、定着部５、給紙部４、画像メモリー７１、ＨＤＤ７２、帯電装置駆動部２２１、ドラムモーターを有する感光体ドラム駆動部２１１、転写ローラー駆動部２５１、現像装置２４、トナー除去装置２７、レジストセンサー７５等と接続されている。制御部１００は、接続されている上記各機構の動作制御や、各機構との間での信号又はデータの送受信を行う。
【００３５】
帯電装置２２は、帯電電圧印加部２２３と、帯電電流検知部２２５とを備えている。
【００３６】
印加バイアス制御部１０１は、帯電装置２２の帯電電圧印加部２２３及び転写バイアス印加部２５２が印加する電圧を制御する。
【００３７】
印加バイアス制御部１０１は、画像形成時に、帯電電圧印加部２２３に、トナーの正規帯電極性と同極性の帯電電圧を帯電ローラー２２２に印加させるバイアス制御を行って、感光体ドラム２１の表面の感光層をトナーの正規帯電極性と同極性に帯電させる。また、印加バイアス制御部１０１は、転写バイアス印加部２５２に、トナーの正規帯電極性とは逆極性の転写バイアスを転写ローラー２５に印加させるバイアス制御を行って、感光体ドラム２１の表面から記録紙Ｐにトナー像を転写させて画像形成を行う。
【００３８】
なお、帯電電流検知部２２５は、上述したように、上記帯電電圧印加部２２３による帯電電圧の印加時に帯電装置２２に流れる帯電電流を検知する。帯電電流検知部２２５は、検知した帯電電流の値を膜厚検出部１０２及び印加バイアス制御部１０１に出力する。
【００３９】
膜厚検出部１０２は、感光体ドラム２１表面の感光層の膜厚を検出する。印加バイアス制御部１０１は、帯電電圧補正処理として、例えば一定時間毎に、帯電電圧印加部２２３に異なる複数の帯電電圧を帯電ローラー２２２に印加させる。帯電電流検知部２２５は、これら各帯電電圧の印加時等に、それぞれの帯電電流を検知する。
【００４０】
膜厚検出部１０２は、上記異なる複数の電圧の印加時に帯電電流検知部２２５によって検知される帯電電流が示すＩ−Ｖ特性に基づいて、感光体ドラム２１表面の感光層の膜厚を検出する。
【００４１】
例えば、印加バイアス制御部１０１は、感光体ドラム２１の表面電位が350(V)と550(V)になるように、それぞれの表面電位に対して異なる帯電電圧を印加する。当該感光体ドラム２１の表面電位を350(V)及び550(V)とするための電圧の値は、感光体ドラム２１表面の膜厚の値に応じて予め定められ、決定部１０５が記憶している。決定部１０５は、印加バイアス制御部１０１が印加する帯電電圧の値を決定する。
【００４２】
印加バイアス制御部１０１が上記複数の異なる電圧を帯電電圧印加部２２３により印加させると、当該各帯電電圧の印加時における帯電電流を帯電電流検知部２２５が検知する。膜厚検出部１０２は、印加バイアス制御部１０１から当該印加に用いた各電圧の値を取得し、各電圧の印加時における帯電電流の値を帯電電流検知部２２５から取得する。膜厚検出部１０２は、これら電圧値と、各電圧の印加時におけるそれぞれの帯電電流の値とを用いて、帯電電圧の変化に伴う帯電電流変化の関係を示すＩ−Ｖ特性を算出する。
【００４３】
図４は感光体ドラム２１表面の感光層の膜厚毎のＩ−Ｖ特性をグラフにより示す図である。図４に示すように、当該Ｉ−Ｖ特性は、感光体ドラム２１表面の膜厚に応じて異なる傾きを示す。なお、予め定められた各膜厚のＩ−Ｖ特性は予め実験により収集しておき、例えば制御ユニット１０又は膜厚検出部１０２に内蔵されるメモリーに、例えば各膜厚とＩ−Ｖ特性との関係を示すデータテーブルにより記憶されている。膜厚検出部１０２は、上記異なる複数の帯電電圧の印加時に算出したＩ−Ｖ特性に対応する膜厚を、感光体ドラム２１の膜厚として検出する。
【００４４】
膜厚補正部１０４は、膜厚検出部１０２によって検出された膜厚を、温度センサー７７及び湿度センサー７８によって検出された温度及び湿度に応じて補正する。
【００４５】
ここで、上記Ｉ−Ｖ特性の環境依存性を説明する。図５はＩ−Ｖ特性の環境依存性を示す図である。図５に示すように、上記Ｉ−Ｖ特性は、周囲温度及び周囲湿度に影響されて変化する。
【００４６】
例えば、温度35℃で湿度15%（高温低湿の状態）の環境下でのＩ−Ｖ特性は、各計測ポイントに○印を付した線HLが示す傾きを有する。また、温度10℃で湿度15%（低温低湿の状態）の環境下では、Ｉ−Ｖ特性は、△印を付した線LLが示すものとなる。さらに、温度10℃で湿度80%（低温高湿の状態）の環境下では、Ｉ−Ｖ特性は、□印を付した線LHが示すものとなる。温度32.5℃で湿度80%（高温高湿の状態）の環境下では、Ｉ−Ｖ特性は、×印を付した線HHが示すものとなる。標準環境である温度25℃で湿度50%（標準温度標準湿度の状態）の環境下でのＩ−Ｖ特性は、＊印を付した線RRが示すものとなる。
【００４７】
このように、Ｉ−Ｖ特性は周囲温度及び周囲湿度に依存して変化するため、膜厚補正部１０４は、当該周囲環境に応じて予め定められた補正値を用いて、上記検出された膜厚を補正する。これにより、周囲環境がＩ−Ｖ特性に与える影響を加味した上で、正確性を高めた上記膜厚の検出を可能にする。
【００４８】
図６は、膜厚補正部１０４が膜厚の補正に用いる各補正値を温度及び湿度別に示す図である。膜厚補正部１０４は、図６に示す各温度及び湿度の組み合わせで示される周囲環境と、各周囲環境に対応するそれぞれの膜厚補正値をデータテーブルにより記憶している。膜厚補正部１０４は、このデータテーブルに基づいて、温度センサー７７及び湿度センサー７８から出力されてくる温度及び湿度について定められている補正値を読み出し、この補正値を用いて、膜厚検出部１０２により検出された膜厚を補正する。例えば、温度T=26℃、湿度H=70%の場合、膜厚補正部１０４は補正値を-0.91とし、上記検出された膜厚の値に当該補正値を加算することにより、膜厚の値を補正する。
【００４９】
決定部１０５は、膜厚補正部１０４によって補正された膜厚に対応する電圧を決定する。決定部１０５は、各膜厚の値に対応するそれぞれの帯電電圧を予めデータテーブル等により記憶しており、上記補正された膜厚に対応する電圧を当該データテーブルから読み出して、画像形成時の帯電電圧として決定する。また、感光体ドラム２１の表面電位を350(V),550(V)とするための、表面電位350(V)に対する帯電電圧と、表面電位550(V)に対する帯電電圧とが、感光体ドラム２１の感光層の膜厚の各値について予め定められている。決定部１０５は、表面電位を350(V),550(V)とするための各帯電電圧を膜厚の値毎にデータテーブル等により記憶しており、後述する帯電電圧の補正処理時に用いる帯電電圧として決定する。
【００５０】
印加バイアス制御部１０１は、決定部１０５により決定された電圧を帯電電圧として、帯電電圧印加部２２３により帯電ローラー２２２に対して印加させる。
【００５１】
本発明の第１実施形態に係る画像形成装置１による帯電電圧の印加制御を説明する。図７は本発明の第１実施形態に係る画像形成装置１による帯電電圧印加制御を示すフローチャートである。
【００５２】
画像形成装置１では、予め定められた一定期間毎（例えば24時間毎、又は電源投入時等）に、画像形成時に帯電電圧印加部２２３が印加する帯電電圧を補正する処理が行われる。印加バイアス制御部１０１は、例えば制御ユニット１０に内蔵されるタイマーにより時刻又は時間経過を計測し、上記一定期間が経過して帯電電圧の補正時期が到来したかを判断する（Ｓ１）。
【００５３】
印加バイアス制御部１０１は、帯電電圧の補正時期が到来したかと判断すると（Ｓ１でＹＥＳ）、帯電電圧印加部２２３に、感光体ドラム２１の表面電位を350(V),550(V)とするための、表面電位350(V)に対する帯電電圧と、表面電位550(V)に対する帯電電圧とを印加させる。なお、決定部１０５は、Ｓ２の実行時に、前回の補正処理において後述のＳ５で検出された膜厚の値に対応する表面電位350(V)に対する帯電電圧と、表面電位550(V)に対する帯電電圧とを、Ｓ２で用いられる電圧として決定する。
【００５４】
Ｓ２において上記複数の帯電電圧が印加されると、帯電電流検知部２２５が、それぞれの帯電電圧印加時における帯電電流を検知する（Ｓ３）。
【００５５】
続いて、膜厚検出部１０２は、上記Ｓ２において印加された各帯電電圧と、これらの電圧のそれぞれの印加時に帯電電流検知部２２５により検知された帯電電流とに基づいて、帯電電圧の増加に伴う帯電電流の増減の傾きを示すＩ−Ｖ特性を算出する（Ｓ４）。
【００５６】
膜厚検出部１０２は、各Ｉ−Ｖ特性とこれら対応する膜厚との関係を示す上記データテーブルから、Ｓ４で算出したＩ−Ｖ特性に対応する膜厚を読み出し、当該膜厚を感光体ドラム２１の膜厚として検出する（Ｓ５）。
【００５７】
次に膜厚補正部１０４が、温度センサー７７及び湿度センサー７８からこの時点での温度及び湿度を取得する（Ｓ６）。そして、膜厚補正部１０４は、温度及び湿度の組み合わせと、膜厚の補正値との関係を示す上述したデータテーブルに基づいて、Ｓ６で取得した温度及び湿度について定められている補正値を読み出し、この補正値を用いて、Ｓ５で検出された膜厚を補正する（Ｓ７）。
【００５８】
そして、決定部１０５は、Ｓ７で補正された膜厚に対応する電圧を、各膜厚の値に対応するそれぞれの帯電電圧を記憶した上記データテーブル等から読み出して、画像形成時の帯電電圧として決定する（Ｓ８）。
【００５９】
印加バイアス制御部１０１は、Ｓ８で決定された帯電電圧を画像形成時の帯電電圧として設定し、画像形成時には、当該設定した帯電電圧を用いて帯電電圧印加部２２３に帯電電圧を印加させる（Ｓ９）。
【００６０】
なお、決定部１０５は、Ｓ８においては、上記補正された膜厚に対する電圧の決定に代えて、補正された膜厚に対応する帯電電流を決定するようにしてもよい。このとき、決定部１０５は、各膜厚の値に対応する帯電電流を記憶したデータテーブル等を有し、Ｓ７で補正された膜厚に対応する帯電電流を当該データテーブルから読み出すことにより、上記帯電電流の決定を行う。この場合、印加バイアス制御部１０１は、画像形成時に、帯電電流検知部２２５により検知される電流をモニターし、当該検知される電流が、上記決定された帯電電流となるように、帯電電圧を可変させる帯電電圧印加制御を行う。
【００６１】
このように、第１実施形態に係る画像形成装置１では、Ｉ−Ｖ特性に基づいて感光体ドラム２１の感光層の膜厚を検出して、当該検出した膜厚を温度及び湿度からなる周囲環境に応じて補正し、画像形成時には、この補正後の膜厚に応じた帯電電圧を用いて、印加バイアス制御部１０１が、帯電電圧印加部２２３に帯電電圧を印加させる。このため、感光体ドラム２１及び帯電装置２２の周囲環境が変化し、更に感光体ドラム２１の膜厚が経年変化した場合であっても、当該変化した周囲環境及び膜厚に応じて適切な帯電電圧を帯電ローラー２２２に印加することが可能になる。このため、周囲環境変化及び膜厚の経年変化に拘わらず、感光体ドラム２１の表面電位を、好適な目標値に保つ帯電電圧の印加制御を行うことができる。
【００６２】
次に、本発明の第２実施形態に係る画像形成装置１を説明する。図８は、第２実施形態に係る画像形成装置１の主要内部構成を概略的に示す機能ブロック図である。なお、図３に示した第１実施形態と同様の構成については説明を省略する。
【００６３】
第２実施形態に係る画像形成装置１では、決定部１０５は、膜厚補正部１０４により補正された膜厚に対する電圧の決定に代えて、補正された膜厚に対応する帯電電流を決定する。上記と同様に、決定部１０５は、各膜厚の値についての帯電電流の値を記憶したデータテーブル等を有し、補正された膜厚に対応する帯電電流を当該データテーブルから読み出すことにより、上記帯電電流の決定を行う。
【００６４】
そして、第２実施形態に係る画像形成装置１は、第１実施形態で示した構成に加えて、更に電流補正部１０６を備える。電流補正部１０６は、決定部１０５によって上記のようにして決定された帯電電流を、温度センサー７７及び湿度センサー７８によって検出された温度及び湿度に応じて補正する。
【００６５】
電流補正部１０６は、温度センサー７７及び湿度センサー７８により検出される温度及び湿度の各組み合わせに対する帯電電流補正値をデータテーブル等により記憶している。図９は、決定部１０５により決定された帯電電流の補正に用いる各帯電電流補正値を温度及び湿度別に示す図である。例えば、電流補正部１０６は、図９に示す内容を有するデータテーブルを記憶している。そして、電流補正部１０６は、決定部１０５によって帯電電流が決定されたとき、この時点で温度センサー７７及び湿度センサー７８から温度及び湿度を取得し、当該温度及び湿度の組み合わせに対応する帯電電流補正値を読み出す。そして、電流補正部１０６は、当該読み出した帯電電流補正値を、上記決定された帯電電流に加算することにより、当該帯電電流を周囲環境に応じて補正する。例えば、温度T=26℃、湿度H=70%の場合、電流補正部１０６は補正値を0.75とし、上記決定された帯電電流の値に当該補正値を加算することにより、決定された帯電電流を周囲環境に応じて補正する。
【００６６】
印加バイアス制御部１０１は、帯電電流検知部２２５により検知される電流をモニターし、当該検知される電流が、上記電流補正部１０６による補正後の帯電電流となるように、帯電電圧を可変させる帯電電圧印加制御を行う。
【００６７】
本発明の第２実施形態に係る画像形成装置１による帯電電圧の印加制御を説明する。図１０は本発明の第２実施形態に係る画像形成装置１による帯電電圧印加制御を示すフローチャートである。なお、図７を用いて説明した第１実施形態と同様の処理は説明を省略する。
【００６８】
第２実施形態では、膜厚補正部１０４により感光体ドラム２１表面の感光層の膜厚が補正されると（Ｓ１７）、決定部１０５は、当該補正された膜厚に対する帯電電流を上記データテーブルに基づいて決定する（Ｓ１８）。
【００６９】
そして、電流補正部１０６は、この時点で温度センサー７７及び湿度センサー７８から温度及び湿度を取得し（Ｓ１６で取得された温度及び湿度を用いてもよい）、当該温度及び湿度の組み合わせに対応する帯電電流補正値を、電流補正部１０６が保有する上記データテーブルから読み出す。電流補正部１０６は、当該読み出した帯電電流補正値を用いて、上記設定された帯電電流を補正する（Ｓ１９）。
【００７０】
印加バイアス制御部１０１は、帯電電流検知部２２５により検知される電流が、Ｓ１９において補正された後の帯電電流となるように、すなわち、上記補正された帯電電流を目標値として、帯電電圧を可変させる帯電電圧印加制御を行う（Ｓ２０）。
【００７１】
このように、Ｉ−Ｖ特性に基づいて感光体ドラム２１の感光層の膜厚を検出して、当該検出した膜厚を温度及び湿度からなる周囲環境に応じて補正し、画像形成時には、この補正後の膜厚に応じた帯電電流となるように、印加バイアス制御部１０１が、帯電電圧印加部２２３に印加させる帯電電圧を可変させる制御を行う。このため、感光体ドラム２１及び帯電装置２２の周囲環境が変化し、更に感光体ドラム２１の膜厚が経年変化した場合であっても、当該変化した周囲環境及び膜厚に応じて適切な帯電電圧を帯電ローラー２２２に印加することが可能になる。このため、周囲環境変化及び膜厚の経年変化に拘わらず、感光体ドラム２１の表面電位を、好適な目標値に保つ帯電電圧の印加制御を実現できる。
【００７２】
なお、本発明は上記実施の形態の構成に限られず種々の変形が可能である。例えば、温度センサー７７及び湿度センサー７８の一方のみが備えられ、膜厚補正部１０４が、当該
一方のセンサーから出力されてきた値を用いて上記膜厚補正を行う場合、膜厚補正部１０４は、当該一方のセンサーが出力する温度又は湿度のいずれかと、これに対応する補正値とをデータテーブルにより記憶するようにする。
【００７３】
また、図１乃至図１０を用いて上記各実施形態に示した構成及び処理は、本発明の一実施形態に過ぎず、本発明の構成及び処理はこれに限定されるものではない。
【符号の説明】
【００７４】
１      画像形成装置
１０    制御ユニット
１００  制御部
１０１  印加バイアス制御部
１０２  膜厚検出部
１０４  膜厚補正部
１０５  決定部
１０６  電流補正部
２      画像形成部
２１    感光体ドラム
２１１  感光体ドラム駆動部
２２    帯電装置
２２１  帯電装置駆動部
２２２  帯電ローラー
２２３  帯電電圧印加部
２２５  帯電電流検知部
７７    温度センサー
７８    湿度センサー
【図１】
0006043739.tif 000002
【図２】
0006043739.tif 000003
【図３】
0006043739.tif 000004
【図４】
0006043739.tif 000005
【図６】
0006043739.tif 000006
【図７】
0006043739.tif 000007
【図８】
0006043739.tif 000008
【図９】
0006043739.tif 000009
【図１０】
0006043739.tif 000010
【図５】
0006043739.tif 000011